【手続補正書】
【提出日】令和3年9月24日(2021.9.24)
【手続補正１】
【補正対象書類名】特許請求の範囲
【補正対象項目名】全文
【補正方法】変更
【補正の内容】
【特許請求の範囲】
【請求項１】
基地局により実行されるワイヤレス通信の方法において、
ユーザ機器（ＵＥ）に対する更新されたシステム情報を決定し、前記ＵＥは初期アクセス帯域幅部分（ＢＷＰ）と構成されたＢＷＰとに関係することと、
前記初期アクセスＢＷＰおよび前記構成されたＢＷＰとは異なる特定のＢＷＰを使用して、更新されたシステム情報を前記ＵＥに送信することとを含む方法。
【請求項２】
前記更新されたシステム情報は、ダウンリンク制御情報、媒体アクセス制御（ＭＡＣ）制御要素（ＣＥ）、または、無線リソース制御（ＲＲＣ）シグナリングのうちの少なくとも１つを使用するユニキャストシグナリングを使用してさらに送信される請求項１記載の方法。
【請求項３】
前記更新されたシステム情報は、ダウンリンク制御情報、媒体アクセス制御（ＭＡＣ）制御要素（ＣＥ）、または、無線リソース制御（ＲＲＣ）シグナリングのうちの少なくとも１つを使用するマルチキャストシグナリングを使用してさらに送信される請求項１記載の方法。
【請求項４】
前記更新されたシステム情報は、特定のグループ無線ネットワーク一時識別子（ＲＮＴＩ）に関係するグループダウンリンク制御情報を使用するマルチキャストシグナリングを使用してさらに送信される請求項１記載の方法。
【請求項５】
前記特定のＢＷＰに切り替えるまたは前記特定のＢＷＰを監視するように前記ＵＥを構成するためのメッセージを送信することをさらに含み、
前記特定のＢＷＰは、前記更新されたシステム情報を伝える請求項１記載の方法。
【請求項６】
前記メッセージは、特定の長さの時間に対して、前記特定のＢＷＰに切り替えるまたは前記特定のＢＷＰを監視するように前記ＵＥを構成するのに使用され、前記メッセージは、前記特定の長さの時間の後に、前記構成されたＢＷＰに切り替えて戻るように、前記ＵＥを構成するのに使用される請求項５記載の方法。
【請求項７】
前記メッセージは、ページングメッセージである請求項５記載の方法。
【請求項８】
前記更新されたシステム情報は、前記初期アクセスＢＷＰ中で送信されるシステム情報と同じ周期を使用して、前記構成されたＢＷＰ中で繰り返される請求項１記載の方法。
【請求項９】
前記更新されたシステム情報は、特定の時間ウィンドウにおいて、前記構成されたＢＷＰ中で繰り返される請求項１記載の方法。
【請求項１０】
ワイヤレス通信のための基地局において、
メモリと、
前記メモリに動作可能に結合されている１つ以上のプロセッサとを具備し、
前記メモリおよび前記１つ以上のプロセッサは、
ユーザ機器（ＵＥ）に対する更新されたシステム情報を決定し、前記ＵＥは初期アクセス帯域幅部分（ＢＷＰ）と構成されたＢＷＰとに関係し、
前記初期アクセスＢＷＰおよび前記構成されたＢＷＰとは異なる特定のＢＷＰを使用して、前記更新されたシステム情報を前記ＵＥに送信するように構成されている基地局。
【請求項１１】
ユーザ機器（ＵＥ）により実行されるワイヤレス通信の方法において、
前記ＵＥに対する更新されたシステム情報を受信することと、
前記更新されたシステム情報を処理することとを含み、
前記ＵＥは初期アクセス帯域幅部分（ＢＷＰ）と構成されたＢＷＰとに関係し、
前記初期アクセスＢＷＰおよび前記構成されたＢＷＰとは異なる特定のＢＷＰを使用して、前記更新されたシステム情報を受信する方法。
【請求項１２】
受信したメッセージに少なくとも部分的に基づいて、前記特定のＢＷＰに切り替えるまたは前記特定のＢＷＰを監視することをさらに含み、
前記特定のＢＷＰは、前記更新されたシステム情報を伝える請求項１１記載の方法。
【請求項１３】
ワイヤレス通信のためのユーザ機器（ＵＥ）において、
メモリと、
前記メモリに動作可能に結合されている１つ以上のプロセッサとを具備し、
前記メモリおよび前記１つ以上のプロセッサは、
前記ＵＥに対する更新されたシステム情報を受信し、
前記更新されたシステム情報を処理するように構成され、
前記ＵＥは初期アクセス帯域幅部分（ＢＷＰ）と構成されたＢＷＰとに関係し、
ユニキャストシグナリング、マルチキャストシグナリング、前記構成されたＢＷＰ、または、前記構成されたＢＷＰとは異なる特定のＢＷＰのうちの少なくとも１つを使用して、前記更新されたシステム情報を受信するＵＥ。
【請求項１４】
前記メモリおよび前記１つ以上のプロセッサは、
受信したメッセージに少なくとも部分的に基づいて、前記特定のＢＷＰに切り替えるまたは前記特定のＢＷＰを監視するように構成され、
前記特定のＢＷＰは、前記更新されたシステム情報を伝える請求項１３記載のＵＥ。
【手続補正２】
【補正対象書類名】明細書
【補正対象項目名】００８３
【補正方法】変更
【補正の内容】
【００８３】
［００８８］
ここで使用される要素、行為、または、命令は、そのように明示的に記載されていない限り、重要または必須であると解釈されるべきでない。また、ここで使用される場合、冠詞「ａ」および「ａｎ」は、１つ以上の項目を含むことを意図しており、「１つ以上」と互換的に使用されているかもしれない。さらに、ここで使用される場合、「セット」および「グループ」という用語は、１つ以上の項目（例えば、関連項目、無関係項目、関連項目および無関係項目の組み合わせ、および／または、これらに類するもの）を含むことが意図され、「１つ以上」と互換的に使用されているかもしれない。ただ１つの項目が意図されている場合、「１つの」の用語またはこれに類する言語が使用されている。また、ここで使用される場合、「有する（ｈａｓ）」、「有する（ｈａｖｅ）」、「有する（ｈａｖｉｎｇ）」、および／または、これらに類するもの用語は、オープンエンドの用語であることが意図されている。さらに、「に基づく」という句は、別段の明示がない限り、「少なくとも部分的に基づいて」を意味することを意図している。
以下に、本願出願の当初の特許請求の範囲に記載された発明を付記する。
［１］  基地局により実行されるワイヤレス通信の方法において、
ユーザ機器（ＵＥ）に対する更新されたシステム情報を決定し、前記ＵＥは初期アクセス帯域幅部分（ＢＷＰ）と構成されたＢＷＰとに関係することと、
ユニキャストシグナリング、マルチキャストシグナリング、前記構成されたＢＷＰ、または、前記構成されたＢＷＰとは異なる特定のＢＷＰのうちの少なくとも１つを使用して、更新されたシステム情報を前記ＵＥに送信することとを含む方法。
［２］  前記ユニキャストシグナリングは、ダウンリンク制御情報、媒体アクセス制御（ＭＡＣ）制御要素（ＣＥ）、または、無線リソース制御（ＲＲＣ）シグナリングのうちの少なくとも１つを使用する［１］記載の方法。
［３］  前記マルチキャストシグナリングは、ダウンリンク制御情報、媒体アクセス制御（ＭＡＣ）制御要素（ＣＥ）、または、無線リソース制御（ＲＲＣ）シグナリングのうちの少なくとも１つを使用する［１］記載の方法。
［４］  前記マルチキャストシグナリングは、特定のグループ無線ネットワーク一時識別子（ＲＮＴＩ）に関係するグループダウンリンク制御情報を使用する［１］記載の方法。
［５］  前記特定のＢＷＰに切り替えるまたは前記特定のＢＷＰを監視するように前記ＵＥを構成するためのメッセージを送信することをさらに含み、
前記特定のＢＷＰは、前記更新されたシステム情報を伝える［１］記載の方法。
［６］  前記メッセージは、特定の長さの時間に対して、前記特定のＢＷＰに切り替えるまたは前記特定のＢＷＰを監視するように前記ＵＥを構成するのに使用され、前記メッセージは、前記特定の長さの時間の後に、前記構成されたＢＷＰに切り替えて戻るように、前記ＵＥを構成するのに使用される［５］記載の方法。
［７］  前記メッセージは、ページングメッセージである［５］記載の方法。
［８］  前記特定のＢＷＰは、前記初期アクセスＢＷＰである［１］記載の方法。
［９］  前記更新されたシステム情報は、前記初期アクセスＢＷＰ中で送信されるシステム情報と同じ周期を使用して、前記構成されたＢＷＰ中で繰り返される［１］記載の方法。
［１０］  前記更新されたシステム情報は、特定の時間ウィンドウにおいて、前記構成されたＢＷＰ中で繰り返される［１］記載の方法。
［１１］  ワイヤレス通信のための基地局において、
メモリと、
前記メモリに動作可能に結合されている１つ以上のプロセッサとを具備し、
前記メモリおよび前記１つ以上のプロセッサは、
ユーザ機器（ＵＥ）に対する更新されたシステム情報を決定し、前記ＵＥは初期アクセス帯域幅部分（ＢＷＰ）と構成されたＢＷＰとに関係し、
ユニキャストシグナリング、マルチキャストシグナリング、前記構成されたＢＷＰ、または、前記構成されたＢＷＰとは異なる特定のＢＷＰのうちの少なくとも１つを使用して、前記更新されたシステム情報を前記ＵＥに送信するように構成されている基地局。
［１２］  前記ユニキャストシグナリングは、ダウンリンク制御情報、媒体アクセス制御（ＭＡＣ）制御要素（ＣＥ）、または、無線リソース制御（ＲＲＣ）シグナリングのうちの少なくとも１つを使用する［１１］記載の基地局。
［１３］  前記マルチキャストシグナリングは、ダウンリンク制御情報、媒体アクセス制御（ＭＡＣ）制御要素（ＣＥ）、または、無線リソース制御（ＲＲＣ）シグナリングのうちの少なくとも１つを使用する［１１］記載の基地局。
［１４］  前記マルチキャストシグナリングは、特定のグループ無線ネットワーク一時識別子（ＲＮＴＩ）に関係するグループダウンリンク制御情報を使用する［１１］記載の基地局。
［１５］  前記メモリおよび前記１つ以上のプロセッサは、
前記特定のＢＷＰに切り替えるまたは前記特定のＢＷＰを監視するように前記ＵＥを構成するためのメッセージを送信するように構成され、
前記特定のＢＷＰは、前記更新されたシステム情報を伝える［１１］記載の基地局。
［１６］  前記メッセージは、特定の長さの時間に対して、前記特定のＢＷＰに切り替えるまたは前記特定のＢＷＰを監視するように前記ＵＥを構成するのに使用され、前記メッセージは、前記特定の長さの時間の後に、前記構成されたＢＷＰに切り替えて戻るように、前記ＵＥを構成するのに使用される［１５］記載の基地局。
［１７］  前記メッセージは、ページングメッセージである［１５］記載の基地局。
［１８］  前記特定のＢＷＰは、前記初期アクセスＢＷＰである［１１］記載の基地局。
［１９］  前記更新されたシステム情報は、前記初期アクセスＢＷＰ中で送信されるシステム情報と同じ周期を使用して、前記構成されたＢＷＰ中で繰り返される［１１］記載の基地局。
［２０］  前記更新されたシステム情報は、特定の時間ウィンドウにおいて、前記構成されたＢＷＰ中で繰り返される［１１］記載の基地局。
［２１］  ユーザ機器（ＵＥ）により実行されるワイヤレス通信の方法において、
前記ＵＥに対する更新されたシステム情報を受信することと、
前記更新されたシステム情報を処理することとを含み、
前記ＵＥは初期アクセス帯域幅部分（ＢＷＰ）と構成されたＢＷＰとに関係し、
ユニキャストシグナリング、マルチキャストシグナリング、前記構成されたＢＷＰ、または、前記構成されたＢＷＰとは異なる特定のＢＷＰのうちの少なくとも１つを使用して、前記更新されたシステム情報を受信する方法。
［２２］  前記ユニキャストシグナリングは、ダウンリンク制御情報、媒体アクセス制御（ＭＡＣ）制御要素（ＣＥ）、または、無線リソース制御（ＲＲＣ）シグナリングのうちの少なくとも１つを含む［２１］記載の方法。
［２３］  受信したメッセージに少なくとも部分的に基づいて、前記特定のＢＷＰに切り替えるまたは前記特定のＢＷＰを監視することをさらに含み、
前記特定のＢＷＰは、前記更新されたシステム情報を伝える［２１］記載の方法。
［２４］  前記特定のＢＷＰは、前記初期アクセスＢＷＰである［２１］記載の方法。
［２５］  ワイヤレス通信のためのユーザ機器（ＵＥ）において、
メモリと、
前記メモリに動作可能に結合されている１つ以上のプロセッサとを具備し、
前記メモリおよび前記１つ以上のプロセッサは、
前記ＵＥに対する更新されたシステム情報を受信し、
前記更新されたシステム情報を処理するように構成され、
前記ＵＥは初期アクセス帯域幅部分（ＢＷＰ）と構成されたＢＷＰとに関係し、
ユニキャストシグナリング、マルチキャストシグナリング、前記構成されたＢＷＰ、または、前記構成されたＢＷＰとは異なる特定のＢＷＰのうちの少なくとも１つを使用して、前記更新されたシステム情報を受信するＵＥ。
［２６］  前記ユニキャストシグナリングは、ダウンリンク制御情報、媒体アクセス制御（ＭＡＣ）制御要素（ＣＥ）、または、無線リソース制御（ＲＲＣ）シグナリングのうちの少なくとも１つを含む［２５］記載のＵＥ。
［２７］  前記メモリおよび前記１つ以上のプロセッサは、
受信したメッセージに少なくとも部分的に基づいて、前記特定のＢＷＰに切り替えるまたは前記特定のＢＷＰを監視するように構成され、
前記特定のＢＷＰは、前記更新されたシステム情報を伝える［２５］記載のＵＥ。
［２８］  前記特定のＢＷＰは、前記初期アクセスＢＷＰである［２５］記載のＵＥ。